(57)【要約】【課題】簡易な構造の原稿カバーを提供する。【解決手段】原稿カバーは、平板状の原稿押え部３と、原稿押え部３を支持するためのリッド２とを備える。原稿押え部３は、弾性を有するように形成されている。リッド２は、原稿押え部３を固定するための係止爪２ａ，２ｂを含む。係止爪２ａ，２ｂは、少なくと原稿押え部３の長手方向および長手方向に垂直な方向において、原稿押え部３を挟み込むように配置されている。係止爪２ａ，２ｂは、原稿押え部３の端面を押圧することにより原稿押え部３を支持するように形成されている。【選択図】図２
2007316222.tif 000002
【特許請求の範囲】
【請求項１】
トップハウジングに支持され、原稿を載置するためのガラス板と、
前記原稿を前記ガラス板に向かって押えるための原稿カバーと
を備え、
前記原稿カバーは、平板状の原稿押え部と、
前記原稿押え部を支持するための支持部材と
を含み、
前記原稿押え部は、弾性を有するように形成され、
前記原稿押え部は、平面形状が長方形に形成され、
前記支持部材は、前記原稿押え部を固定するための係止爪を含み、
前記係止爪は、断面形状がＬ字形に形成され、
前記係止爪は、先端部が前記原稿押え部の端面を押圧することにより前記原稿押え部を支持するように形成され、
前記係止爪は、前記原稿押え部の前記長方形のそれぞれの辺に対応する前記端面を押圧するように形成され、
前記係止爪が前記長方形の長手方向および前記長手方向に垂直な方向に前記原稿押え部を挟み込むことにより、前記原稿押え部が前記支持部材に支持された、複合プリンタ装置。
【請求項２】
平板状の原稿押え部と、
前記原稿押え部を支持するための支持部材と
を備え、
前記原稿押え部は、弾性を有するように形成され、
前記支持部材は、前記原稿押え部を固定するための固定部を含み、
前記固定部は、少なくとも一の方向において、前記原稿押え部を挟み込むように配置され、
前記固定部は、前記原稿押え部の端面を押圧することにより前記原稿押え部を支持するように形成された、原稿カバー。
【請求項３】
前記固定部は、断面形状がＬ字形に形成された係止爪を含み、
前記係止爪は、先端部が前記原稿押え部の前記端面を押圧するように形成された、請求項２に記載の原稿カバー。
【請求項４】
前記原稿押え部は、平面形状が四角形に形成され、
前記係止爪は、前記四角形のそれぞれの辺に対応する前記端面を押圧するように形成された、請求項２または３に記載の原稿カバー。
【発明の詳細な説明】
【技術分野】
【０００１】
本発明は、原稿カバーおよびこれを備えた複合プリンタ装置に関する。
【背景技術】
【０００２】
スキャナ装置や複写機には、原稿を載置するための載置台と、原稿の文字や画像を読取るための原稿読取装置が備えられている。原稿読取り装置は、原稿を載置する載置台に原稿を配置した後に、原稿を載置台に向かって押えるための原稿カバーを備える。
【０００３】
特開２００３−７５９４４号公報においては、原稿マットの互いに隣り合う２つの角部を拘束する第１拘束部と、第１拘束部より揺動軸から遠方に設けられ、原稿マットの角部と係合しつつ角部を第１拘束部に案内する案内部と、第１拘束部に２つの角部が拘束されているときに、原稿マットの嵌合部を拘束する第２拘束部とを備える画像読取装置が開示されている。この画像読取装置によれば、原稿マットの装着が容易になると開示されている。
【特許文献１】特開２００３−７５９４４号公報
【発明の開示】
【発明が解決しようとする課題】
【０００４】
原稿カバーには、原稿をほぼ均一に押えるために、弾性を有する原稿押え部が配置される。原稿押え部は、原稿に接触するように配置される。原稿は、たとえば、装置本体の載置台としてのガラス板と原稿押え部とに挟まれることにより、ガラス板の表面において広がりながら押えつけられる。このため、原稿読取り装置は、原稿に記載された文字や画像などを再現性よく読取ることができる。
【０００５】
上記の特開２００３−７５９４４号公報に開示された原稿読取装置においては、原稿マットに角部および嵌合部形成され、さらに、原稿カバーの本体に、角部または嵌合部にそれぞれ係合するための第１拘束部および第２拘束部が形成されている。この原稿カバーにおいては、原稿マットを原稿カバーの本体に固定するための構造が複雑であるという問題があった。
【０００６】
本発明は、簡易な構造の原稿カバーおよびこの原稿カバーを備える複合プリンタ装置を提供することを目的とする。
【課題を解決するための手段】
【０００７】
本発明に基づく複合プリンタ装置は、トップハウジングに支持され、原稿を載置するためのガラス板と、上記原稿を上記ガラス板に向かって押えるための原稿カバーとを備える。上記原稿カバーは、平板状の原稿押え部を含む。上記原稿押え部を支持するための支持部材を含む。上記原稿押え部は、弾性を有するように形成されている。上記原稿押え部は、平面形状が長方形に形成されている。上記支持部材は、上記原稿押え部を固定するための係止爪を含む。上記係止爪は、断面形状がＬ字形に形成されている。上記係止爪は、先端部が上記原稿押え部の端面を押圧することにより上記原稿押え部を支持するように形成されている。上記係止爪は、上記原稿押え部の上記長方形のそれぞれの辺に対応する上記端面を押圧するように形成されている。上記係止爪が上記長方形の長手方向および上記長手方向に垂直な方向に上記原稿押え部を挟み込むことにより、上記原稿押え部が上記支持部材に支持されている。
【０００８】
本発明に基づく原稿カバーは、平板状の原稿押え部を備える。上記原稿押え部を支持するための支持部材を備える。上記原稿押え部は、弾性を有するように形成されている。上記支持部材は、上記原稿押え部を固定するための固定部を含む。上記固定部は、少なくとも一の方向において、上記原稿押え部を挟み込むように配置されている。上記固定部は、上記原稿押え部の端面を押圧することにより上記原稿押え部を支持するように形成されている。
【０００９】
上記発明において好ましくは、上記固定部は、断面形状がＬ字形に形成された係止爪を含む。上記係止爪は、先端部が上記原稿押え部の上記端面を押圧するように形成されている。
【００１０】
上記発明において好ましくは、上記原稿押え部は、平面形状が四角形に形成されている。上記係止爪は、上記四角形のそれぞれの辺に対応する上記端面を押圧するように形成されている。
【発明の効果】
【００１１】
本発明によれば、簡易な構造の原稿カバーおよびこの原稿カバーを備える複合プリンタ装置を提供することができる。
【発明を実施するための最良の形態】
【００１２】
図１から図８を参照して、本発明に基づく実施の形態における原稿カバーおよびこれを備えた複合プリンタ装置について説明する。
【００１３】
図１は、本実施の形態における複合プリンタ装置の概略斜視図である。図１は、原稿カバーを開いたときの複合プリンタ装置の概略斜視図である。
【００１４】
本実施の形態における複合プリンタ装置は、原稿の画像等を読取るスキャナ機能、原稿の画像等を複写する機能、および受信した信号またはメモリカードに記録された画像等を印刷するためのプリンタ機能を備える。
【００１５】
本実施の形態における複合プリンタ装置は、外側の筐体として、ボトムハウジング１１およびトップハウジング１６を備える。トップハウジング１６は、ボトムハウジング１１の上側に形成されている。
【００１６】
ボトムハウジング１１の前面には、印刷された用紙を排出するための排紙口１４が形成されている。排紙口１４には、排出された用紙などの被印刷物を一時的に配置しておくための用紙トレイ１３が配置されている。ボトムハウジング１１の前面には、画像データなどの保存が可能なメモリカードを挿入するためのカード挿入口１５が形成されている。
【００１７】
トップハウジング１６の上面には、平面形状が四角形の開口が形成され、この開口にガラス板１２が配置されている。ガラス板１２は、原稿載置台として形成されている。原稿は、画像等を読取る面がガラス板１２に向かうように配置される。ガラス板１２は、トップハウジング１６に支持されている。
【００１８】
トップハウジング１６において、原稿カバー１の側方には、操作部１８が形成されている。操作部１８は、４方向ボタンや単一の押しボタンなどを含む。また、トップハウジング１６において、原稿カバー１の側方には、操作状況、稼動状況または印刷を行なう画像などを表示するための液晶表示パネル１７が配置されている。
【００１９】
トップハウジング１６の上側には、原稿カバー１が配置されている。原稿カバー１は、矢印３１に示すように、複合プリンタ装置の奥側の幅方向を回動軸として回動可能に形成されている。原稿カバー１は、閉じたときにガラス板１２に対向するように形成されている。本実施の形態における原稿カバー１は、平面形状が長方形に形成されている。
【００２０】
図２に、本実施の形態における原稿カバーの概略斜視図を示す。原稿カバー１は、原稿を押えるための原稿押え部３を含む。本実施の形態においては、原稿押え部３は、平板状に形成されている。原稿押え部３は、平面形状が四角形に形成されている。原稿押え部３は、矢印３３に示す長手方向および矢印３４に示す長手方向に垂直な方向を有する。
【００２１】
原稿押え部３は、弾性を有する材料で形成されている。原稿押え部３は、軟質の材料で形成されている。原稿押え部３は、たとえば、スポンジにより形成されている。本実施の形態における原稿押え部３は、ネオプレンゴムからなるＣＲ（クロロプレンゴム）スポンジで形成されている。
【００２２】
本実施の形態における原稿カバー１は、原稿押え部３を支持するための支持部材としてのリッド２とを含む。リッド２は、平板状に形成されている。リッド２は、プラスチック樹脂などの硬質の材料で形成されている。リッド２は、回転接続部４を備える。回転接続部４は、外側の端部が複合プリンタ装置の本体に固定される。回転接続部４は、原稿カバー１がプリンタ装置の本体に固定されたときに、原稿カバー１が回動するように形成されている。
【００２３】
原稿押え部３は、リッド２の主面に固定されている。本実施の形態におけるリッド２は、原稿押え部３を固定するための固定部としての係止爪２ａ，２ｂを含む。係止爪２ａ，２ｂは、リッド２の表面から立設するように形成されている。
【００２４】
本実施の形態におけるそれぞれの係止爪２ａ，２ｂは、直線状に形成されている。係止爪２ａは、原稿押え部３の平面形状の長方形の長辺に沿うように形成されている。係止爪２ｂは、原稿押え部３の平面形状の長方形の短辺に沿うように形成されている。係止爪２ａ，２ｂは、原稿押え部３のそれぞれの端面に沿うように配置されている。
【００２５】
図３に、本実施の形態における原稿カバーの分解概略斜視図を示す。図３は、リッドに原稿押え部を取り付けるときの概略斜視図である。図２および図３を参照して、本実施の形態における原稿押え部３は、リッド２から取外すことができるように形成されている。
【００２６】
複数の係止爪２ａは、互いに対向するように配置されている。係止爪２ａは、原稿押え部３の長手方向に垂直な方向において、原稿押え部３を挟み込むように配置されている。複数の係止爪２ｂは、互いに対向するように配置されている。係止爪２ｂは、原稿押え部３の長手方向において、原稿押え部３を挟み込むように配置されている。
【００２７】
図４に、本実施の形態における係止爪の拡大概略斜視図を示す。図５に、本実施の形態における係止爪の部分の概略断面図を示す。図５は、原稿押え部をリッドに固定したときの概略断面図である。
【００２８】
本実施の形態における係止爪２ａは、リッド２の表面から飛び出すように形成されている。係止爪２ａは断面形状がＬ字型に形成されている。係止爪２ａは、先端部が原稿押え部３の端面を押圧するように形成されている。係止爪２ａは、先端部が原稿押え部３に食い込むように形成されている。係止爪２ｂは、係止爪２ａと同様の構成を有する。係止爪２ａ，２ｂは、原稿押え部３の平面形状の四角形のそれぞれの辺に対応する端面を押圧するように形成されている。
【００２９】
本実施の形態における原稿カバーは、原稿押え部の一の方向において、原稿押え部を挟み込むように、係止爪が配置されている。また、係止爪は、原稿押え部の端面を押圧することにより、原稿押え部を支持するように形成されている。
【００３０】
本実施の形態における原稿押え部は、係止爪で挟まれることによりリッドに固定されている。本実施の形態においては、原稿押え部の長手方向および長手方向に垂直な方向に、原稿押え部を挟み込むことにより、原稿押え部がリッドに支持されている。本実施の形態における原稿押え部は、係止爪により挟み込まれても主面がほぼ平坦になる弾性を有する。
【００３１】
図３を参照して、原稿押え部３をリッド２に固定するときには、矢印３２に示すように、係止爪２ａ，２ｂで囲まれる領域内に原稿押え部３を押込む。係止爪２ａ，２ｂは、原稿押え部３の端面に食い込む。原稿押え部３は、端面が内側に向かって押圧されることによりリッド２に固定される。
【００３２】
本実施の形態における原稿カバーは、簡易な構成で、原稿押え部をリッドに固定することができる。簡易な固定構造としては、たとえば、両面テープを用いて原稿押え部をリッドに固定することが考えられるが、本実施の形態においては、両面テープも必要がなく、リッドに原稿押え部を固定することができる。また、簡易な構成の原稿カバーを備える複合プリンタ装置を提供することができる。
【００３３】
また、原稿カバーの修理や点検などの際においても、原稿押え部を容易に取外すことができる。たとえば、使用状態により、原稿押え部の交換が必要になった場合などにおいても、原稿押え部を容易に取外すことができる。
【００３４】
本実施の形態における固定部は、断面形状がＬ字形の係止爪を含む。この構成により、簡易に固定部を形成することができる。たとえば、リッドの本体と係止爪とを一体的に樹脂成型することができる。
【００３５】
本実施の形態における固定部は、係止爪を含むが、この形態に限られず、固定部は、原稿押え部の端面を押圧することにより、原稿押え部を支持するように形成されていれば構わない。たとえば、リッドに凹部が形成され、固定部として凹部の側面から突起する突起部が形成され、原稿押え部がこの凹部に配置されていても構わない。この場合には、突起部が原稿押え部の端面を押圧することにより、原稿押え部がリッドに固定される。
【００３６】
また、本実施の形態における係止爪は、断面形状がＬ字型に形成されているが、この形態に限られず、係止爪は原稿押え部の端面を押圧するように形成されていれば構わない。
【００３７】
また、本実施の形態における原稿押え部は、平面形状が四角形に形成されているが、この形態に限られず、原稿押え部は任意の形状を採用することができる。
【００３８】
図６に、本実施の形態における他の係止爪の概略断面図を示す。他の係止爪２ｃは、断面形状がほぼＬ字形に形成されている。他の係止爪２ｃは、先端部が尖るように形成されている。このように、係止爪の先端部が尖るように形成されていることによって、先端部が原稿押え部に食い込みやすくなり、より確実に原稿押え部を支持することができる。
【００３９】
図７に、本実施の形態における他のリッドの概略斜視図を示す。他のリッド２においては、原稿押え部が配置される主面に補助係止爪２ｄが形成されている。補助係止爪２ｄは、リッド２の主面から立設するように形成されている。補助係止爪２ｄは、原稿押え部が配置される領域のほぼ中央部に配置されている。
【００４０】
図８に、補助係止爪の部分の概略断面図を示す。図８は、原稿押え部を固定したときの概略断面図である。リッド２の主面に原稿押え部５が配置されている。原稿押え部５は、挿入穴５ａを有する。挿入穴５ａは、補助係止爪２ｄが嵌合するように形成されている。挿入穴５ａは、補助係止爪２ｄの形状に対応するように形成されている。補助係止爪２ｄは、先端が原稿押え部５の内部に向かって、大きくなる形状を有する。
【００４１】
このように、原稿押え部の中央部に対応する部分に補助係止爪が形成され、補助係止爪が、原稿押え部に嵌め込まれることによって、原稿押え部の中央部が膨らんで、原稿押え部の中央部がリッドから離れてしまうことを抑制できる。または、原稿押え部の中央部が膨らんで、原稿押え部がリッドから外れてしまうことを防止することができる。
【００４２】
たとえば、原稿押え部の弾性が弱く、原稿カバーの開閉時に原稿押え部がリッドから外れてしまう恐れのある場合には、補助係止爪を形成することにより、原稿押え部がリッドから外れることを抑制できる。または、補助係止爪の代わりに原稿押え部の中央部を両面テープによってリッドに固定しても構わない。
【００４３】
本実施の形態においては、２方向において、固定部が原稿押え部を挟み込むように配置されているが、この形態に限られず、固定部は、少なくとも一の方向において原稿押え部を挟み込むように配置されていればよい。
【００４４】
本実施の形態においては、原稿カバーを備える電気機器として、複合プリンタ装置を例に採り上げて説明したが、形態に限られず、原稿カバーを備える任意の電気機器に対して本発明を適用することができる。たとえば、スキャナ装置に本発明における原稿カバーを適用することができる。
【００４５】
上記の実施の形態に係るそれぞれの図面において、同一または相当する部分には、同一の符号を付している。
【００４６】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４７】
【図１】本発明に基づく実施の形態における複合プリンタ装置の概略斜視図である。
【図２】本発明に基づく実施の形態における原稿カバーの概略斜視図である。
【図３】本発明に基づく実施の形態における原稿カバーの概略分解斜視図である。
【図４】本発明に基づく実施の形態における原稿カバーの係止爪の拡大概略斜視図である。
【図５】本発明に基づく実施の形態における原稿カバーの係止爪の部分の拡大概略断面図である。
【図６】本発明に基づく実施の形態における他の係止爪の拡大概略断面図である。
【図７】本発明に基づく実施の形態における他のリッドの概略斜視図である。
【図８】本発明に基づく実施の形態における他のリッドの補助係止爪の部分の拡大概略断面図である。
【符号の説明】
【００４８】
１  原稿カバー、２  リッド、２ａ，２ｂ，２ｃ  係止爪、２ｄ  補助係止爪、３，５  原稿押え部、４  回転接続部、５ａ  挿入穴、１１  ボトムハウジング、１２  ガラス板、１３  用紙トレイ、１４  排紙口、１５  カード挿入口、１６  トップハウジング、１７  液晶表示パネル、１８  操作部、３１〜３４  矢印。
【図１】
2007316222.tif 000003
【図２】
2007316222.tif 000004
【図３】
2007316222.tif 000005
【図４】
2007316222.tif 000006
【図５】
2007316222.tif 000007
【図６】
2007316222.tif 000008
【図７】
2007316222.tif 000009
【図８】
2007316222.tif 000010